(57)【要約】【課題】光学精度および発光素子の光利用率が高く、給電ケーブルの着脱が容易で小型な発光モジュールを低コストに提供する。【解決手段】発光モジュール１０は、絶縁基板１３と、絶縁基板１３上に搭載された発光素子１４と、絶縁基板１３上に配置形成されて発光素子１４と接続された外部電極１５ａ，１５ｂと、発光素子１４に対向配置された照明用レンズ２０と、外部電極１５ａ，１５ｂと接触して電気的に接続される接続端子３０ａ，３０ｂと、接続端子３０ａ，３０ｂと接触して電気的に接続される給電ケーブル１７ａ，１７ｂとを備える。接続端子３０ａ，３０ｂは照明用レンズ２０に取付固定されており、給電ケーブル１７ａ，１７ｂは接続端子３０ａ，３０ｂに対して着脱自在に取付固定されている。【選択図】  図１
2014007317.tif 000002
【特許請求の範囲】
【請求項１】
基板と、
前記基板上に搭載された発光素子と、
前記基板における前記発光素子と同一面上に配置形成され、前記発光素子に接続された外部電極と、
前記発光素子に対向配置された照明用レンズと、
前記照明用レンズに取付固定され、前記外部電極と接触して電気的に接続される接続端子と、
前記接続端子に対して着脱自在に取付固定され、前記接続端子と接触して電気的に接続される給電ケーブルと
を備えた発光モジュール。
【請求項２】
前記接続端子は、第１接触部と第２接触部とを備え、
前記第１接触部の先端部は、前記照明用レンズの出射面とは反対側から突出して前記外部電極と接触し、
前記第２接触部は、前記照明用レンズの側面側から露出して前記給電ケーブルと接触する、請求項１に記載の発光モジュール。
【請求項３】
前記基板と前記照明用レンズとの間に介在するホルダと、
前記基板と前記ホルダと前記照明用レンズとを取付固定する固定手段と
を備え、
前記固定手段により前記基板と前記ホルダと前記照明用レンズとを取付固定した状態では、前記第１接触部の先端部が前記外部電極に対して付勢されて接触する、請求項２に記載の発光モジュール。
【請求項４】
前記照明用レンズと前記ホルダとが一体形成されている、請求項３に記載の発光モジュール。
【請求項５】
前記固定手段により前記基板に取付固定されたヒートシンクを備える、請求項３または請求項４に記載の発光モジュール。
【請求項６】
前記固定手段は、前記基板と前記ホルダと前記照明用レンズとに挿通された雄ネジを備える、請求項３〜５のいずれか１項に記載の発光モジュール。
【発明の詳細な説明】
【技術分野】
【０００１】
本発明は発光モジュールに関するものである。
【背景技術】
【０００２】
特許文献１には、接触区域をもつ基板と、基板に搭載されて接触区域と電気的に接続されたＬＥＤとを備え、基板を電灯保持体の上に載置し、接触素子をもつ電気接続用接続素子を基板の上に被着し、基板の接触区域に電気接続用接続素子の接触素子を接触させて電気的に接続し、接触素子に接続ケーブルを接続し、基板および電気接続用接続素子を電灯保持体にネジ止めし、光学系を保持した光学系保持体を電気接続用接続素子に取付固定するようにしたＬＥＤ電灯が開示されている。
【０００３】
特許文献２には、配線パターンが設けられた給電板に発光装置を固着し、導線を給電板に接合し、配線パターンを介して導線を発光装置に電気的に接続し、給電板を基体にネジ止めし、スペーサを介して光学レンズを基体に設け、光学レンズの周縁部を覆う円筒体を基体に螺着させることにより光学レンズを基体に取付固定するようにした照明装置が開示されている。
【先行技術文献】
【特許文献】
【０００４】
【特許文献１】特開２００９−１７６７３３号公報
【特許文献２】特開２００８−１３０５３２号公報
【発明の概要】
【発明が解決しようとする課題】
【０００５】
特許文献１の技術では、電灯保持体（ヒートシンク）と、ＬＥＤ（発光素子）が搭載された基板（絶縁基板）と、電気接続用接続素子（コネクタハウジング）と、光学系（照明用レンズ）を保持した光学系保持体（ホルダ）とを、この順番で重ねて取付固定している。
すなわち、ＬＥＤと光学系との間に電気接続用接続素子が介在していることから、ＬＥＤと光学系との距離が電気接続用接続素子の分だけ長くなるため、ＬＥＤの放射光が光学系に入射される入射効率が低下し、ＬＥＤの放射光の利用率も低下するという問題がある。
また、基板と電気接続用接続素子と光学系とのそれぞれに位置ズレが生じ易いため、光学精度が低下するという問題がある。
さらに、光学系を電気接続用接続素子よりも大きくする必要があるため、ＬＥＤ電灯（発光モジュール）全体の小型化が困難であるという問題がある。
加えて、電気接続用接続素子の分だけ構成部材が多くなるため、部品コストが増大する上に、組み立てに要する製造コストも増大するという問題がある。
【０００６】
特許文献２には、導線（給電ケーブル）を給電板（絶縁基板）に接合する接合方法について具体的な記載は無いが、どのような接合方法（例えば、はんだ付け、圧着など）を用いたとしても、一旦接合した導線を給電板から取り外すことは困難であるため、導線を容易に着脱することができず汎用性が低いという問題がある。
【０００７】
本発明は前記問題を解決するためになされたものであって、その目的は、光学精度および発光素子の光利用率が高く、給電ケーブルの着脱が容易で小型な発光モジュールを低コストに提供することにある。
【課題を解決するための手段】
【０００８】
本発明者らは前記課題を解決するために鋭意検討を重ねた結果、下記のように本発明の各局面に想到した。
【０００９】
＜第１の局面＞
第１の局面は、
基板と、
前記基板上に搭載された発光素子と、
前記基板における前記発光素子と同一面上に配置形成され、前記発光素子に接続された外部電極と、
前記発光素子に対向配置された照明用レンズと、
前記照明用レンズに取付固定され、前記外部電極と接触して電気的に接続される接続端子と、
前記接続端子に対して着脱自在に取付固定され、前記接続端子と接触して電気的に接続される給電ケーブルとを備えた発光モジュールである。
【００１０】
第１の局面では、特許文献１の電気接続用接続素子（コネクタハウジング）に相当する構成部材を用いないため、電気接続用接続素子に起因する前記問題を解決できる。
すなわち、電気接続用接続素子を設けた場合に比べて、第１の局面によれば、発光素子と照明用レンズとの距離を短くすることが可能になるため、発光素子の放射光が照明用レンズに入射される入射効率を向上させて、発光素子の放射光の利用率を高めることができる。
【００１１】
また、第１の局面によれば、電気接続用接続素子に相当する構成部材を備えないため、当該構成部材と基板と照明用レンズとの位置ズレについて考慮する必要が無く、基板と照明用レンズとの位置合わせを行うだけで光学精度を高めることができる。
さらに、電気接続用接続素子を設けた場合に比べて、第１の局面によれば、発光モジュールを全体として小型化することができる。
【００１２】
加えて、電気接続用接続素子を設けた場合に比べて、第１の局面によれば、構成部材を少なくすることが可能になるため、部品コストを低減できる上に、組み立てに要する製造コストも低減できる。
そして、第１の局面では、特許文献２のように導線（給電ケーブル）を給電板（絶縁基板）に接合せず、接続端子に対して給電ケーブルを着脱自在に取付固定しているため、汎用性を高めることができる。
【００１３】
＜第２の局面＞
第２の局面は、第１の局面において、
前記接続端子は、第１接触部と第２接触部とを備え、
前記第１接触部の先端部は、前記照明用レンズの出射面とは反対側から突出して前記外部電極と接触し、
前記第２接触部は、前記照明用レンズの側面側から露出して前記給電ケーブルと接触する。
【００１４】
第２の局面によれば、接続端子と外部電極とを確実に接触させると共に、接続端子と給電ケーブルとを確実に接触させた上で両者の着脱を容易にできる。
【００１５】
＜第３の局面＞
第３の局面は、第２の局面において、
前記基板と前記照明用レンズとの間に介在するホルダと、
前記基板と前記ホルダと前記照明用レンズとを取付固定する固定手段とを備え、
前記固定手段により前記基板と前記ホルダと前記照明用レンズとを取付固定した状態では、前記第１接触部の先端部が前記外部電極に対して付勢されて接触する。
【００１６】
第３の局面によれば、固定手段により基板とホルダと照明用レンズとを取付固定するだけで、第１接触部の先端部が外部電極に対して付勢されて接触するため、接続端子と外部電極との接触を更に確実なものにできる。
【００１７】
＜第４の局面＞
第４の局面は、第３の局面において、前記照明用レンズと前記ホルダとが一体形成されている。
第４の局面によれば、発光モジュールの構成部材を減らすことが可能になるため、更なる低コスト化を図ることができる。
【００１８】
＜第５の局面＞
第５の局面は、第３または第４の局面において、前記固定手段により前記基板に取付固定されたヒートシンクを備える。
第５の局面によれば、発光素子が発生する熱を基板を介してヒートシンクへ伝導させた後にヒートシンクから放熱させることが可能になるため、発光素子の過熱を防止して故障や寿命低下を回避できる。
また、第５の局面では、ヒートシンクの取付固定に固定手段を流用できるため、ヒートシンクの取付固定に専用部材を用いる必要が無く、低コスト化を図ることができる。
【００１９】
＜第６の局面＞
第６の局面は、第３〜５の局面において、前記固定手段は、前記基板と前記ホルダと前記照明用レンズとに挿通された雄ネジを備える。
第６の局面によれば、固定手段を雄ネジによる簡易な構成で実現可能であるため、更なる低コスト化を図ることができる。
【図面の簡単な説明】
【００２０】
【図１】本発明を具体化した一実施形態の発光モジュール１０の概略縦断面図であり、図２におけるＸ−Ｘ矢示断面図。
【図２】発光モジュール１０の上面図。
【図３】発光モジュール１０の照明用レンズ２０の右側面図。
【図４】発光モジュール１０の照明用レンズ２０の下面図。
【図５】本発明を具体化した別の実施形態の発光モジュール１００の概略縦断面図。
【発明を実施するための形態】
【００２１】
以下、本発明を具体化した各実施形態について図面を参照しながら説明する。尚、各実施形態において、同一の構成部材および構成要素については符号を等しくすると共に、同一内容の箇所については重複説明を省略する。
また、各図面では、説明を分かり易くするために、各実施形態の構成部材の寸法形状および配置箇所を誇張して模式的に図示してあり、各構成部材の寸法形状および配置箇所が実物とは異なっている。
【００２２】
図１〜図４に示すように、本実施形態の発光モジュール（照明装置）１０は、ヒートシンク１１（雌ネジ穴１１ａ〜１１ｄ）、雄ネジ１２ａ〜１２ｄ、絶縁基板１３（挿通孔１３ａ〜１３ｄ）、発光素子１４、外部電極１５ａ，１５ｂ、ホルダ１６（挿通孔１６ａ〜１６ｆ）、給電ケーブル１７ａ，１７ｂ、照明用レンズ２０（レンズ部２１、リフレクタ部２２、出射面２３、凹部２４、フランジ部２５、挿通孔２５ａ〜２５ｄ）、接続端子３０ａ，３０ｂ、第１接触部３１（先端部３１ａ）、第２接触部３２（円筒内面３２ａ）、光軸Ｌなどを備えている。
【００２３】
ヒートシンク１１は、矩形板状を成しており、放熱性の高い材料（例えば、アルミニウム合金などの金属材料、金属粉末を混入した合成樹脂材料など）によって形成されている。
ヒートシンク１１の平坦な表面には、雄ネジ１２ａ〜１２ｄの先端部を螺着させるための雌ネジ穴１１ａ〜１１ｄが螺設されている。
絶縁基板１３は、矩形板状を成しており、絶縁材料（例えば、窒化アルミニウムなどのセラミックス材料、合成樹脂材料など）のバルク材から成る基板や、金属材料（例えば、アルミニウム合金など）の表面に絶縁層が形成された基板などによって形成されている。
絶縁基板１３には、雄ネジ１２ａ〜１２ｄを挿通するための挿通孔１３ａ〜１３ｄが板厚方向に貫通形成されている。
【００２４】
発光素子１４は、半導体発光素子（例えば、ＬＥＤチップ、有機ＥＬチップなど）から成り、絶縁基板１３の表面上に搭載（実装）されている。
外部電極（電極パッド）１５ａ，１５ｂは、導電性の高い金属材料（例えば、アルミニウム合金、銅など）の薄膜層から成り、絶縁基板１３における発光素子１４と同一面上に配置形成されている。
発光素子１４は絶縁基板１３上に形成された配線層から成る配線パターン（図示略）に接続されて点灯回路が構成され、その配線パターンのうち絶縁基板１３上から露出した部分が外部電極１５ａ，１５ｂとなる。換言すれば、発光素子１４と外部電極１５ａ，１５ｂとは、外部電極１５ａ，１５ｂをその一部とする配線パターンを介して接続されている。
【００２５】
ホルダ１６は矩形枠状を成しており、ホルダ１６の四隅部分には雄ネジ１２ａ〜１２ｄを挿通するための挿通孔１６ａ〜１６ｄが貫通形成され、ホルダ１６の周壁部には給電ケーブル１７ａ，１７ｂを挿通するための挿通孔１６ｅ，１６ｆが貫通形成されている。
【００２６】
照明用レンズ２０は、レンズ部２１、リフレクタ部２２、出射面２３、凹部２４、フランジ部２５を備えた円形レンズであり、ガラスや合成樹脂（例えば、アクリル樹脂）などの光透過性材料によって一体形成されたコリメータレンズである。
レンズ部２１およびリフレクタ部２２の出射面は連接して同一平面を形成し、その同一平面が照明用レンズ２０の正面側に位置する出射面２３となる。
レンズ部２１およびリフレクタ部２２の入射面によって囲まれた空間は、照明用レンズ２０の背面側に位置する凹部２４を形成している。
出射面２３の外周縁は、矩形平板状のフランジ部２５に連接されている。
フランジ部２５には、雄ネジ１２ａ〜１２ｄを挿通するための挿通孔２５ａ〜２５ｄが板厚方向に貫通形成されている。
【００２７】
レンズ部２１は、発光素子１４に向けて膨らんだ非球面状の入射面と、入射面に正対した平面状の出射面とを備えた円形非球面凸レンズであり、入射面が発光素子１４に正対し、レンズ部２１の中心軸である光軸と発光素子１４の光軸Ｌとが合致するように、発光素子１４に対して位置決めされている。
レンズ部２１は、発光素子１４の放射光を入射し、入射面および出射面における屈折により、光軸Ｌを囲繞する円周方向（３６０゜方向）の放射角を平行光に近づけるよう変化させて出射する。
【００２８】
リフレクタ部２２は、レンズ部２１を囲繞するリング状を成し、光軸Ｌ方向に対して僅かに所定角度傾斜して外周縁が広がる略円錐内面状の入射面と、入射面に正対した平面状の出射面と、入射面からの入射光を反射して出射面方向に導く反射面とを備えており、入射面が発光素子１４に正対すると共に、入射面の内周縁がレンズ部２１の入射面の外周縁に連接され、反射面はリフレクタ部２２の中心軸を回転軸とする略回転放物面状を成し、リフレクタ部２２の中心軸である光軸と発光素子１４の光軸Ｌとが合致している。
リフレクタ部２２は、発光素子１４の放射光を入射し、入射面および出射面における屈折や、反射面における全反射などにより、光軸Ｌを囲繞する円周方向の放射角を平行光に近づけるよう変化させて出射する。
【００２９】
接続端子３０ａ，３０ｂは同一寸法形状を成し、照明用レンズ２０の入射面の近傍にてリフレクタ部２２内に埋設されて取付固定されており、第１接触部３１および第２接触部３２を備えている。
第１接触部３１は略円柱状を成し、その先端部３１ａは照明用レンズ２０の背面側（出射面２３の反対側）にてリフレクタ部２２から突出している。
第２接触部３２は略円筒状を成し、その円筒内面３２ａは照明用レンズ２０の側面側にてリフレクタ部２２に開口された開口部から露出されている。
接続端子３０ａ，３０ｂを照明用レンズ２０内に埋設する方法には、例えば、照明用レンズ２０の形成時に接続端子３０ａ，３０ｂをインサート成形する方法、照明用レンズ２０に形成しておいた取付孔に接続端子３０ａ，３０ｂを嵌め込む方法などがある。
【００３０】
［発光モジュール１０の組み立て方］
ヒートシンク１１上に絶縁基板１３を載置し、絶縁基板１３上にホルダ１６を載置し、ホルダ１６の上方から照明用レンズ２０の背面側を差し入れ、照明用レンズ２０のフランジ部２５をホルダ１６に当接させる。
そして、ヒートシンク１１の雌ネジ穴１１ａ〜１１ｄと、絶縁基板１３の挿通孔１３ａ〜１３ｄと、ホルダ１６の挿通孔１６ａ〜１６ｆと、フランジ部２５の挿通孔２５ａ〜２５ｄとを合致させた状態で、ホルダ１６の上方から雄ネジ１２ａ〜１２ｄを挿通し、雄ネジ１２ａ〜１２ｄの先端部を雌ネジ穴１１ａ〜１１ｄに螺着させることにより、ヒートシンク１１と絶縁基板１３とホルダ１６と照明用レンズ２０とを一体に取付固定する。
【００３１】
すると、絶縁基板１３上に搭載されている発光素子１４は、照明用レンズ２０の凹部２４に対向配置され、発光素子１４の光軸Ｌと照明用レンズ２０のレンズ部２１およびリフレクタ部２２の光軸とが合致する。
また、絶縁基板１３上に配置形成されている外部電極１５ａ，１５ｂの表面に対して、照明用レンズ２０の背面側から突出している接続端子３０ａ，３０ｂにおける第１接触部３１の先端部３１ａが付勢されて接触し、外部電極１５ａ，１５ｂと接続端子３０ａ，３０ｂとが電気的に接続される。
【００３２】
そして、照明用レンズ２０の側面側から露出している接続端子３０ａ，３０ｂにおける第２接触部３２の円筒内面３２ａと、ホルダ１６の挿通孔１６ｅ，１６ｆとが合致する。
そこで、給電ケーブル１７ａ，１７ｂを、ホルダ１６の側方から挿通孔１６ｅ，１６ｆを介して、接続端子３０ａ，３０ｂにおける第２接触部３２の円筒内面３２ａ内に挿通して取り付け、給電ケーブル１７ａ，１７ｂの先端部と円筒内面３２ａとを接触させることにより、給電ケーブル１７ａ，１７ｂと接続端子３０ａ，３０ｂとが電気的に接続される。
また、接続端子３０ａ，３０ｂにおける第２接触部３２の円筒内面３２ａ内から、給電ケーブル１７ａ，１７ｂの先端部を引き抜くことにより、接続端子３０ａ，３０ｂから給電ケーブル１７ａ，１７ｂを取り外すことができる。
【００３３】
このように組み立てられた発光モジュール１０を使用するには、外部電源（図示略）から、給電ケーブル１７ａ→接続端子３０ａの第２接触部３２→接続端子３０ａの第１接触部３１→外部電極１５ａ→発光素子１４→外部電極１５ｂ→接続端子３０ｂの第１接触部３１→接続端子３０ｂの第２接触部３２→給電ケーブル１７ｂの経路で電流を流すことにより、発光素子１４に電源を供給して点灯させる。
【００３４】
［発光モジュール１０の作用・効果］
本実施形態の発光モジュール１０によれば、以下の作用・効果を得ることができる。
【００３５】
［１］発光モジュール１０は、絶縁基板１３と、絶縁基板１３上に搭載された発光素子１４と、絶縁基板１３上に配置形成されて発光素子１４と接続された外部電極１５ａ，１５ｂと、発光素子１４に対向配置された照明用レンズ２０と、外部電極１５ａ，１５ｂと接触して電気的に接続される接続端子３０ａ，３０ｂと、接続端子３０ａ，３０ｂと接触して電気的に接続される給電ケーブル１７ａ，１７ｂとを備える。
そして、接続端子３０ａ，３０ｂは照明用レンズ２０に取付固定されており、給電ケーブル１７ａ，１７ｂは接続端子３０ａ，３０ｂに対して着脱自在に取付固定されている。
【００３６】
このように、発光モジュール１０では、特許文献１の電気接続用接続素子（コネクタハウジング）に相当する構成部材を用いないため、電気接続用接続素子に起因する前記問題を解決できる。
すなわち、電気接続用接続素子を設けた場合に比べて、発光モジュール１０では、発光素子１４と照明用レンズ２０との距離を短くすることが可能になるため、発光素子１４の放射光が照明用レンズ２０に入射される入射効率を向上させて、発光素子１４の放射光の利用率を高めることができる。
【００３７】
また、発光モジュール１０では、電気接続用接続素子に相当する構成部材を備えないため、当該構成部材と絶縁基板１３と照明用レンズ２０との位置ズレについて考慮する必要が無く、絶縁基板１３と照明用レンズ２０との位置合わせを行うだけで光学精度を高めることができる。
さらに、電気接続用接続素子を設けた場合に比べて、発光モジュール１０を全体として小型化することができる。
【００３８】
加えて、電気接続用接続素子を設けた場合に比べて、発光モジュール１０では、構成部材を少なくすることが可能になるため、部品コストを低減できる上に、組み立てに要する製造コストも低減できる。
そして、発光モジュール１０では、特許文献２のように導線（給電ケーブル１７ａ，１７ｂ）を給電板（絶縁基板１３）に接合せず、接続端子３０ａ，３０ｂに対して給電ケーブル１７ａ，１７ｂを着脱自在に取付固定しているため、汎用性を高めることができる。
【００３９】
［２］接続端子３０ａ，３０ｂは、第１接触部３１と第２接触部３２とを備える。
第１接触部３１の先端部３１ａは、照明用レンズ２０の出射面２３とは反対側から突出して外部電極１５ａ，１５ｂと接触する。
第２接触部３２は、照明用レンズ２０の側面側から露出して給電ケーブル１７ａ，１７ｂと接触する。
そのため、発光モジュール１０では、接続端子３０ａ，３０ｂと外部電極１５ａ，１５ｂとを確実に接触させると共に、接続端子３０ａ，３０ｂと給電ケーブル１７ａ，１７ｂとを確実に接触させた上で両者の着脱を容易にできる。
【００４０】
［３］ホルダ１６は、絶縁基板１３と照明用レンズ２０との間に介在する。
また、絶縁基板１３とホルダ１６と照明用レンズ２０とを取付固定する固定手段として、ヒートシンク１１に螺設された雌ネジ穴１１ａ〜１１ｄと、その雌ネジ穴１１ａ〜１１ｄに螺着される雄ネジ１２ａ〜１２ｄとを備える。
そして、固定手段により絶縁基板１３とホルダ１６と照明用レンズ２０とを取付固定した状態では、接続端子３０ａ，３０ｂにおける第１接触部３１の先端部が、外部電極１５ａ，１５ｂに対して付勢されて接触するため、接続端子３０ａ，３０ｂと外部電極１５ａ，１５ｂとの接触を更に確実なものにできる。
【００４１】
また、固定手段を雄ネジ１２ａ〜１２ｄによる簡易な構成で実現可能であるため、低コスト化を図ることができる。
尚、雄ネジ１２ａ〜１２ｄとヒートシンク１１の雌ネジ穴１１ａ〜１１ｄとの螺合による固定手段に限らず、発光モジュール１０の各部材１１，１３，１６，２０を確実に取付固定することが可能であれば、どのような固定手段を用いてもよい。
例えば、発光モジュール１０の各部材１１，１３，１６，２０のそれぞれに、係合凸部と、その係合凸部に対応した係合凹部とを形成しておき、係合凸部を係合凹部に嵌合させることにより、各部材１１，１３，１６，２０を相互に取付固定させてもよい。
また、発光モジュール１０の各部材１１，１３，１６，２０を接着剤を用いて接着固定してもよい。
【００４２】
［４］ヒートシンク１１を絶縁基板１３に取付固定することにより、発光素子１４が発生する熱を絶縁基板１３を介してヒートシンク１１へ伝導させた後にヒートシンク１１から放熱させることが可能になるため、発光素子１４の過熱を防止して故障や寿命低下を回避できる。
また、ヒートシンク１１と絶縁基板１３とホルダ１６と照明用レンズ２０とは雄ネジ１２ａ〜１２ｄによって取付固定されて一体化されているため、ヒートシンクの取付固定のためだけの専用部材を用いる場合に比べて、低コスト化を図ることができる。
【００４３】
＜別の実施形態＞
本発明は前記実施形態に限定されるものではなく、以下のように具体化してもよく、その場合でも、前記実施形態と同等もしくはそれ以上の作用・効果を得ることができる。
【００４４】
［Ａ］図５に示す発光モジュール１００のように、ホルダ１６とレンズ２０とを一体成形してもよい。
この場合には、発光モジュール１００の構成部材を減らすことが可能になるため、更なる低コスト化を図ることができる。
【００４５】
［Ｂ］接続端子３０ａ，３０ｂの第１接触部３１に、外部電極１５ａ，１５ｂに対する付勢力を高めるための弾性部材（例えば、特許文献１に記載の「ばね脚片４０」のような折り曲げバネなど）を設けてもよく、この場合には第１接触部３１と外部電極１５ａ，１５ｂとの接触を更に確実なものにできる。
【００４６】
［Ｃ］接続端子３０ａ，３０ｂの第２接触部３２に、給電ケーブル１７ａ，１７ｂとの接触を確実にするための固定部材（例えば、特許文献１に記載の「接触締付け片（締付け脚辺４１、接触脚辺４２）」のような折り曲げバネなど）を設けてもよい。
【００４７】
［Ｄ］給電ケーブル１７ａ，１７ｂの先端部に雄側コネクタ端子を取付固定すると共に、接続端子３０ａ，３０ｂの第２接触部３２に雌側コネクタ端子を設けておき、雄側コネクタ端子を雌側コネクタ端子に嵌合固定させることにより、給電ケーブル１７ａ，１７ｂと接続端子３０ａ，３０ｂとを電気的に接続させるようにしてもよい。
この場合には、給電ケーブル１７ａ，１７ｂと接続端子３０ａ，３０ｂとの電気的接続を良好にした上で、接続端子３０ａ，３０ｂに対する給電ケーブル１７ａ，１７ｂの着脱を更に容易にできる。
【００４８】
［Ｅ］接続端子３０ａ，３０ｂに光反射機能をもたせることにより、発光素子１４の放射光を接続端子３０ａ，３０ｂによって反射させるようにしてもよい。
この場合には、発光素子１４の放射光の利用率を更に高めることができる。
【００４９】
［Ｆ］照明用レンズ２０は、コリメータレンズに限らず、どのような形式の照明用レンズであってもよい。
【００５０】
本発明は、前記各局面および前記各実施形態の説明に何ら限定されるものではない。特許請求の範囲の記載を逸脱せず、当業者が容易に想到できる範囲で種々の変形態様も本発明に含まれる。本明細書の中で明示した論文、公開特許公報、特許公報などの内容は、その全ての内容を援用によって引用することとする。
【符号の説明】
【００５１】
１０，１００…発光モジュール
１１…ヒートシンク
１１ａ〜１１ｄ…雌ネジ穴（固定手段）
１２ａ〜１２ｄ…雄ネジ（固定手段）
１３…絶縁基板
１４…発光素子
１５ａ，１５ｂ…外部電極
１６…ホルダ
１７ａ，１７ｂ…給電ケーブル
２０…照明用レンズ
２３…出射面
３０ａ，３０ｂ…接続端子
３１…第１接触部
３１ａ…第１接触部３１の先端部
３２…第２接触部
３２ａ…接触部３２の円筒内面
Ｌ…光軸
【図１】
2014007317.tif 000003
【図２】
2014007317.tif 000004
【図３】
2014007317.tif 000005
【図４】
2014007317.tif 000006
【図５】
2014007317.tif 000007